(57)【要約】【課題】回路全体のＮＦの劣化を抑制して、回路ゲインの温度特性を補正できるＡＧＣ回路を提供する。【解決手段】直列に結合された複数のＡＧＣアンプ12,15を備えるＡＧＣ回路において、複数のＡＧＣアンプ12,15の各々に対応させて、前段のＡＧＣアンプ12のゲインが後段のＡＧＣアンプ15のゲインよりも高くなるように温度毎のゲイン補正値が関連付けられた温度補正テーブルを記憶する記憶部3と、記憶部3に記憶された温度補正テーブルを用いて複数のＡＧＣアンプ12,15のゲインを制御する制御部4と、を備える。【選択図】図１
2010278527.tif 000002
【特許請求の範囲】
【請求項１】
直列に結合された複数のＡＧＣアンプを備えるＡＧＣ回路において、
前記複数のＡＧＣアンプの各々に対応させて、前段のＡＧＣアンプのゲインが後段のＡＧＣアンプのゲインよりも高くなるように温度毎のゲイン補正値が関連付けられた温度補正テーブルを記憶する記憶部と、
前記記憶部に記憶された前記温度補正テーブルを用いて前記複数のＡＧＣアンプのゲインを制御する制御部と、
を備えることを特徴とするＡＧＣ回路。
【請求項２】
前記温度補正テーブルは、基準温度よりも高温域では、前段のＡＧＣアンプのゲイン補正値が後段のＡＧＣアンプのゲイン補正値よりも大きく設定されていることを特徴とする請求項１に記載のＡＧＣ回路。
【請求項３】
前記温度補正テーブルは、基準温度よりも低温域では、前段のＡＧＣアンプのゲイン補正値が後段のＡＧＣアンプのゲイン補正値よりも小さく設定されていることを特徴とする請求項１または２に記載のＡＧＣ回路。
【請求項４】
直列に結合された複数のＡＧＣアンプを備える無線機において、
前記複数のＡＧＣアンプを経た目標出力に応じて、前段のＡＧＣアンプのゲインが後段のＡＧＣアンプのゲインよりも高くなるように前記複数のＡＧＣアンプの基準温度でのゲインが設定された出力テーブルと、前記複数のＡＧＣアンプの各々に対応し、前段のＡＧＣアンプのゲインが後段のＡＧＣアンプのゲインよりも高くなるように前記基準温度に対する温度毎のゲイン補正値が関連付けられた温度補正テーブルとを記憶する記憶部と、
前記記憶部に記憶された前記出力テーブルおよび前記温度補正テーブルを用いて、前記複数のＡＧＣアンプを経た出力が目標出力となるように、前記複数のＡＧＣアンプのゲインを制御する制御部と、
を備えることを特徴とする無線機。
【請求項５】
直列に結合された複数のＡＧＣアンプを備えるＡＧＣ回路の制御方法において、
前記複数のＡＧＣアンプに対し、前段のＡＧＣアンプのゲインが後段のＡＧＣアンプのゲインよりも高くなるように温度毎のゲイン補正値が関連付けられた温度補正テーブルを用いて、前記複数のＡＧＣアンプのゲインを制御することを特徴とするＡＧＣ回路の制御方法。
【発明の詳細な説明】
【技術分野】
【０００１】
本発明は、ＡＧＣ（Auto Gain Control）回路およびこれを備える無線機、並びにＡＧＣ回路の制御方法に関するものである。
【背景技術】
【０００２】
従来の無線機として、例えば、送信部に中間周波数（ＩＦ）の信号を処理するＩＦ回路と、無線周波数（ＲＦ）の信号を処理するＲＦ回路とを設けるとともに、送信出力のダイナミックレンジを拡大するために、これらＩＦ回路およびＲＦ回路の各々にＡＧＣアンプを設けて、ＡＧＣアンプに印加するＡＧＣ電圧を調整することにより、ゲインを制御するようにしたものが知られている（例えば、特許文献１参照）。
【０００３】
図８は、従来のＡＧＣ回路を有する無線機の送信部の概略構成を示す機能ブロック図である。送信部１００は、ＩＦミキサ１０１、前段ＡＧＣアンプ１０２、ＩＦアンプ１０３、ＲＦミキサ１０４、後段ＡＧＣアンプ１０５およびＲＦアンプ１０６を有する。図８において、図示しないベースバンド部から供給される入力信号INは、ＩＦミキサ１０１により、図示しないＩＦ局部発振器からのＩＦ周波数IFLOと混合されてＩＦ周波数にアップコンバートされた後、前段ＡＧＣアンプ１０２で増幅され、さらに、ＩＦアンプ１０３で増幅される。
【０００４】
ＩＦアンプ１０３の出力信号は、ＲＦミキサ１０４により、図示しないＲＦ局部発振器からのＲＦ周波数RFLOと混合されてＲＦ周波数にアップコンバートされた後、後段ＡＧＣアンプ１０５で増幅され、さらに、ＲＦアンプ１０６で目標の送信出力OUTに増幅されて、図示しないアンテナから電波として出力される。ここで、前段ＡＧＣアンプ１０２は、図示しない制御回路から対応するデジタル・アナログコンバータ（ＤＡＣ）を経て供給されるＡＧＣ電圧VGCTL1によってゲインが制御される。同様に、後段ＡＧＣアンプ１０５は、図示しない制御回路から対応するＤＡＣを経て供給されるＡＧＣ電圧VGCTL2によってゲインが制御される。
【０００５】
図８に示した送信部１００は、前段ＡＧＣアンプ１０２によりＩＦ信号を増幅し、後段ＡＧＣアンプ１０５によりＲＦ信号を増幅することにより、送信出力OUTのダイナミックレンジを拡大している。そして、図示しない記憶部に、例えば図９に示すようなＡＧＣアンプ毎のＡＧＣ電圧すなわちゲインを設定する出力テーブル（キャリブレーションテーブル）を保持して、送信出力が設定値となるようにゲインを制御している。なお、この出力テーブルは、基準温度（常温）での送信出力に対するＡＧＣ電圧を示すもので、図９において、上下方向に二列に並んだ数値のうち、左列の数値は送信部１００による送信出力（ｄＢｍ）を表しており、右列の数値はＤＡＣで変換されたＡＧＣ電圧（ビット換算値）を表している。
【０００６】
また、送信部１００を構成するＡＧＣアンプを含むアンプやミキサ等の半導体デバイスは、一般に、常温時に対して、高温時にゲインが低下し、低温時にゲインが増加する温度特性を有する。このため、送信部１００の出力（POWER）は、図１０に示すようになり、同じＡＧＣ電圧VGCTLでは、常温時の出力に比べて高温時の出力が低下し、低温時の出力が増加することになる。
【０００７】
このような温度による出力変動を防止するため、従来の無線機においては、図示しない記憶部に、例えば図１１に示すような温度補正テーブルを格納して、全温度に亘って所定の出力が得られるように、ＡＧＣアンプのゲインを調整するようにしている（例えば、特許文献２参照）。なお、図１１の温度補正テーブルは、目標の送信出力（ゲイン）における各温度の出力補正量（ゲイン補正値）を表すもので、３５℃を基準温度として、プラス表示は増加するゲイン補正値を示し、マイナス表示は抑制するゲイン補正値を示す。
【０００８】
ここで、図８に示したように、複数のＡＧＣアンプを有する場合は、回路全体のゲイン補正値を、複数のＡＧＣアンプで等分して各々のＡＧＣアンプに同じゲイン補正値を適用することが考えられる。このように、基準温度の出力であるキャリブレーションテーブルのゲインに、温度によるゲイン補正値を加味することにより、全温度の亘って目標の送信出力を得ることが可能となる。
【先行技術文献】
【特許文献】
【０００９】
【特許文献１】特開２００２−３５３７５６号公報
【特許文献２】特開２００４−３３６３５９号公報
【発明の概要】
【発明が解決しようとする課題】
【００１０】
しかしながら、送信部を構成するアンプやミキサ等の半導体デバイスは、上述したように、高温時にゲインが低下し、低温時にゲインが増加する温度特性を有する他にも、高温になるほど雑音が増加して、回路のＮＦ（Noise Figure）が劣化する特性を有する。このため、高温時に回路全体で生じるゲイン補正値を、複数のＡＧＣアンプで等分して補正するようにすると、回路全体のＮＦが増加して、出力信号の品質が劣化することが懸念される。
【００１１】
なお、このような課題は、無線機の送信部に限らず、複数のＡＧＣアンプを有する受信部においても同様に生じるとともに、無線機に限らず、複数のＡＧＣアンプを有する増幅回路としてのＡＧＣ回路において同様に生じるものである。
【００１２】
したがって、上述した点に鑑みてなされた本発明の目的は、回路全体のＮＦの劣化を抑制して、回路ゲインの温度特性を補正できるＡＧＣ回路およびこれを備える無線機、並びにＡＧＣ回路の制御方法を提供することにある。
【課題を解決するための手段】
【００１３】
上記目的を達成する第１の観点に係るＡＧＣ回路の発明は、直列に結合された複数のＡＧＣアンプを備えるＡＧＣ回路において、
前記複数のＡＧＣアンプの各々に対応させて、前段のＡＧＣアンプのゲインが後段のＡＧＣアンプのゲインよりも高くなるように温度毎のゲイン補正値が関連付けられた温度補正テーブルを記憶する記憶部と、
前記記憶部に記憶された前記温度補正テーブルを用いて前記複数のＡＧＣアンプのゲインを制御する制御部と、
を備えることを特徴とするものである。
【００１４】
第２の観点に係る発明は、第１の観点に係るＡＧＣ回路において、
前記温度補正テーブルは、基準温度よりも高温域では、前段のＡＧＣアンプのゲイン補正値が後段のＡＧＣアンプのゲイン補正値よりも大きく設定されていることを特徴とするものである。
【００１５】
第３の観点に係る発明は、第１または２の観点に係るＡＧＣ回路において、
前記温度補正テーブルは、基準温度よりも低温域では、前段のＡＧＣアンプのゲイン補正値が後段のＡＧＣアンプのゲイン補正値よりも小さく設定されていることを特徴とするものである。
【００１６】
さらに、上記目的を達成する第４の観点に係る無線機の発明は、直列に結合された複数のＡＧＣアンプを備える無線機において、
前記複数のＡＧＣアンプを経た目標出力に応じて、前段のＡＧＣアンプのゲインが後段のＡＧＣアンプのゲインよりも高くなるように前記複数のＡＧＣアンプの基準温度でのゲインが設定された出力テーブルと、前記複数のＡＧＣアンプの各々に対応し、前段のＡＧＣアンプのゲインが後段のＡＧＣアンプのゲインよりも高くなるように前記基準温度に対する温度毎のゲイン補正値が関連付けられた温度補正テーブルとを記憶する記憶部と、
前記記憶部に記憶された前記出力テーブルおよび前記温度補正テーブルを用いて、前記複数のＡＧＣアンプを経た出力が目標出力となるように、前記複数のＡＧＣアンプのゲインを制御する制御部と、
を備えることを特徴とするものである。
【００１７】
さらに、上記目的を達成する第５の観点に係るＡＧＣ回路の制御方法の発明は、直列に結合された複数のＡＧＣアンプを備えるＡＧＣ回路の制御方法において、
前記複数のＡＧＣアンプに対し、前段のＡＧＣアンプのゲインが後段のＡＧＣアンプのゲインよりも高くなるように温度毎のゲイン補正値が関連付けられた温度補正テーブルを用いて、前記複数のＡＧＣアンプのゲインを制御することを特徴とするものである。
【発明の効果】
【００１８】
本発明によれば、複数のＡＧＣアンプの各々に対応し、前段のＡＧＣアンプのゲインが後段のＡＧＣアンプのゲインよりも高くなるように温度毎のゲイン補正値が関連付けられた温度補正テーブルを用いて、複数のＡＧＣアンプのゲインを制御するので、回路全体のＮＦの劣化を抑制して、回路ゲインの温度特性を補正することができる。
【図面の簡単な説明】
【００１９】
【図１】本発明の第１実施の形態に係る無線機の要部の構成を示す機能ブロック図である。
【図２】図１に示した送信部の概略構成を示す機能ブロック図である。
【図３】図１に示した記憶部に記憶する前段ＡＧＣアンプの温度補正テーブルの一例を示す図である。
【図４】図１に示した記憶部に記憶する後段ＡＧＣアンプの温度補正テーブルの一例を示す図である。
【図５】多段増幅回路における全体のＮＦを説明するための図である。
【図６】本発明の第２実施の形態に係る無線機の送信部の概略構成を示す機能ブロック図である。
【図７】本発明の第３実施の形態に係る無線機の受信部の概略構成を示す機能ブロック図である。
【図８】従来のＡＧＣ回路を有する無線機の送信部の概略構成を示す機能ブロック図である。
【図９】図８に示した送信部の出力テーブルを示す図である。
【図１０】図８に示した送信部の温度による出力変化を示す図である。
【図１１】従来のＡＧＣ回路における温度補正テーブルの一例を示す図である。
【発明を実施するための形態】
【００２０】
以下、本発明の実施の形態について、図を参照して説明する。
【００２１】
（第１実施の形態）
図１は、本発明の第１実施の形態に係る無線機の要部の構成を示す機能ブロック図である。この無線機は、例えば携帯電話端末を構成するもので、ベースバンド部１、送信部２、記憶部３、および全体を制御する制御部４を有する。
【００２２】
送信部２は、ベースバンド部１からの入力信号INを、ＲＦ周波数の目標の送信出力OUTに増幅するもので、図２に機能ブロック図を示すように、直列に結合された、ＩＦミキサ１１、前段ＡＧＣアンプ１２、ＩＦアンプ１３、ＲＦミキサ１４、後段ＡＧＣアンプ１５およびＲＦアンプ（パワーアンプ）１６を有する。
【００２３】
送信部２において、ベースバンド部１からの入力信号INは、図８に示した送信部１００と同様に、先ず、ＩＦミキサ１１により、図示しないＩＦ局部発振器からのＩＦ周波数IFLOと混合されてＩＦ周波数にアップコンバートされる。このＩＦミキサ１１の出力信号は、前段ＡＧＣアンプ１２で増幅され、さらにＩＦアンプ１３で増幅されてＲＦミキサ１４に供給される。ＲＦミキサ１４は、ＩＦアンプ１３からの入力信号を、図示しないＲＦ局部発振器からのＲＦ周波数RFLOと混合してＲＦ周波数にアップコンバートする。このＲＦミキサ１４の出力信号は、後段ＡＧＣアンプ１５で増幅され、さらに、ＲＦアンプ１６で目標の送信出力OUTに増幅されて、図示しないアンテナから電波として出力される。
【００２４】
前段ＡＧＣアンプ１２および後段ＡＧＣアンプ１５は、制御部４からそれぞれ供給されるＡＧＣ電圧VGCTL1およびVGCTL2により、独立してゲインが制御される。このように、図２に示した送信部２では、直列に結合された前段ＡＧＣアンプ１２および後段ＡＧＣアンプ１５を用い、前段ＡＧＣアンプ１２によりＩＦ信号を増幅し、後段ＡＧＣアンプ１５によりＲＦ信号を増幅することにより、送信出力OUTのダイナミックレンジを拡大している。
【００２５】
図１において、記憶部３は、送信部２の目標の送信出力OUTに対応する前段ＡＧＣアンプ１２および後段ＡＧＣアンプ１５の基準温度におけるそれぞれのゲインを設定する出力テーブル（キャリブレーションテーブル）と、前段ＡＧＣアンプ１２および後段ＡＧＣアンプ１５に対応し、基準温度に対する温度毎のゲイン補正値が関連付けられた温度補正テーブルとを格納する。
【００２６】
制御部４は、送信部２の前段ＡＧＣアンプ１２および後段ＡＧＣアンプ１５に供給するＡＧＣ電圧VGCTL1およびVGCTL2をそれぞれ生成するＤＡＣ（図示せず）を有する。そして、制御部４は、目標の送信出力OUTおよび現在の温度情報に基づいて、記憶部３に記憶されている出力テーブルおよび温度補正テーブルから、対応するＡＧＣ電圧値（ゲイン）およびゲイン補正値を読み出して、前段ＡＧＣアンプ１２および後段ＡＧＣアンプ１５の温度補正後のゲインをそれぞれ算出し、これら算出されたゲインに対応するＡＧＣ電圧VGCTL1およびVGCTL2を、対応するＤＡＣを介して前段ＡＧＣアンプ１２および後段ＡＧＣアンプ１５に印加する。これにより、前段ＡＧＣアンプ１２および後段ＡＧＣアンプ１５のゲインを制御する。したがって、図１および図２に示す無線機において、前段ＡＧＣアンプ１２、後段ＡＧＣアンプ１５、記憶部３および制御部４は、ＡＧＣ回路を構成する。なお、現在の温度情報は、図示しない温度センサにより、送信部２の温度（例えば、終段のＲＦアンプ１６近傍の温度）を検出して制御部４に供給する。
【００２７】
本実施の形態に係る無線機においては、記憶部３に記憶する出力テーブルを、前段ＡＧＣアンプ１２のゲインをＧi、後段ＡＧＣアンプ１５のゲインをＧiiとするとき、Ｇi＞Ｇiiとなるように設定する。また、記憶部３に記憶する前段ＡＧＣアンプ１２および後段ＡＧＣアンプ１５の温度補正テーブルは、前段ＡＧＣアンプ１２のゲインＧiが後段ＡＧＣアンプ１５のゲインＧiiよりも高くなるように、温度毎のゲイン補正値が関連付けられたものとする。
【００２８】
図３および図４は、記憶部３に記憶する温度補正テーブルの一例を示すもので、図３は前段ＡＧＣアンプ１２の温度補正テーブルを示し、図４は後段ＡＧＣアンプ１５の温度補正テーブルを示す。なお、ここでは、比較のために、図３および図４に示す温度補正テーブルによる送信部２の全体のゲイン補正値を、図１１に示した温度補正テーブルによる全体のゲイン補正値と同じにしている。
【００２９】
本実施の形態に係る無線機においては、図３および図４に示すように、基準温度（３５℃）よりも高温域では、前段ＡＧＣアンプ１２の温度補正テーブルにおけるゲイン補正値を、後段ＡＧＣアンプ１５の温度補正テーブルにおけるゲイン補正値よりも大きく設定する。また、基準温度（３５℃）よりも低温域では、前段ＡＧＣアンプ１２の温度補正テーブルにおけるゲイン補正値を、後段ＡＧＣアンプ１５の温度補正テーブルにおけるゲイン補正値よりも小さく設定する。
【００３０】
このように、送信部２の全体で必要なゲイン補正値を満足しながら、前段ＡＧＣアンプ１２のゲインＧiを高く配分すれば、温度変化時のＮＦ劣化を抑制することができる。すなわち、多段増幅回路におけるＮＦは、理論的には前段のＮＦおよびゲインに依存度が高い。例えば、図５に示すように、３段の増幅回路１７，１８，１９を有する場合、初段の増幅回路１７のＮＦをＮＦ１、ゲインをＧ１とし、中段の増幅回路１８のＮＦをＮＦ２、ゲインをＧ２とし、終段の増幅回路１９のＮＦをＮＦ３、ゲインをＧ３とすると、回路全体のＮＦは、図示の数式のように表される。この数式から明らかなように、多段増幅回路においては、前段に接続される増幅回路ほど、そのＮＦおよびゲインが回路全体のＮＦを左右することになる。
【００３１】
したがって、本実施の形態に係る無線機のように、前段ＡＧＣアンプ１２のゲインＧiが後段ＡＧＣアンプ１５のゲインＧiiよりも高くなるように、温度毎のゲイン補正値が関連付けられたそれぞれの温度補正テーブルを用いて、前段ＡＧＣアンプ１２および後段ＡＧＣアンプ１５のゲインを制御すれば、送信部２の全体におけるＮＦの劣化を抑制して、送信部２のゲインの温度特性を補正することができ、送信信号の品質を向上することができる。
【００３２】
（第２実施の形態）
図６は、本発明の第２実施の形態に係る無線機の送信部の概略構成を示す機能ブロック図である。この無線機は、第１実施の形態に係る無線機と送信部の構成が異なるものである。すなわち、上述した第１実施の形態に係る無線機は、送信部２をＩＦミキサ１１およびＲＦミキサ１４を有するダブルコンバージョン方式により構成したが、本実施の形態に係る無線機は、送信部２０を一つのＲＦミキサ２１を有するダイレクトコンバージョン方式により構成する。
【００３３】
このため、図６に示すように、送信部２０に、直列に結合して、ＲＦミキサ２１、前段ＡＧＣアンプ２２、後段ＡＧＣアンプ２３、ドライバアンプ２４およびパワーアンプ２５を設ける。そして、図１に示したベースバンド部１からの入力信号Inを、先ず、ＲＦミキサ２１により、図示しないＲＦ局部発振器からのＲＦ周波数RFLOと混合してＲＦ周波数に直接アップコンバートする。その後、ＲＦミキサ２１の出力信号を、前段ＡＧＣアンプ２２および後段ＡＧＣアンプ２３により順次増幅し、さらにドライバアンプ２４およびパワーアンプ２５で目標の送信出力OUTに増幅して、図示しないアンテナから電波として出力する。その他の構成は、図１と同様である。
【００３４】
本実施の形態に係る無線機においても、第１実施の形態に係る無線機の場合と同様に、前段ＡＧＣアンプ２２のゲインが後段ＡＧＣアンプ２３のゲインよりも高くなるように、温度毎のゲイン補正値を関連付けた温度補正テーブルを用いて、前段ＡＧＣアンプ２２および後段ＡＧＣアンプ２３のゲインを制御する。したがって、第１実施の形態の場合と同様に、送信部２０の全体におけるＮＦの劣化を抑制して、送信部２０のゲインの温度特性を補正することができ、送信信号の品質を向上することができる。
【００３５】
（第３実施の形態）
図７は、本発明の第３実施の形態に係る無線機の受信部の概略構成を示す機能ブロック図である。この受信部３０は、直列に結合された、低雑音アンプ（ＬＮＡ）３１、ＲＦミキサ３２、前段ＡＧＣアンプ３３、ＩＦアンプ３４、ＩＦミキサ３５および後段ＡＧＣアンプ３６を有する。
【００３６】
図７において、図示しないアンテナで受信されたＲＦ周波数の入力信号INは、ＬＮＡ３１で増幅された後、ＲＦミキサ３２により、図示しないＲＦ局部発振器からのＲＦ周波数RFLOと混合されてＩＦ周波数にダウンコンバートされる。このＲＦミキサ３２の出力信号は、前段ＡＧＣアンプ３３で増幅され、さらにＩＦアンプ３４で増幅されてＩＦミキサ３５に供給される。ＩＦミキサ３５は、ＩＦアンプ３４からの入力信号を、図示しないＩＦ局部発振器からのＩＦ周波数IFLOと混合してベースバンド信号の周波数にダウンコンバートする。このＩＦミキサ３５の出力信号は、後段ＡＧＣアンプ３６で目標の受信出力OUTに増幅されて、図示しないベースバンド部に供給されて再生される。
【００３７】
本実施の形態に係る無線機においても、上記実施の形態に係る無線機の場合と同様に、受信部３０の目標の受信出力OUTに対応する前段ＡＧＣアンプ３３および後段ＡＧＣアンプ３６の基準温度におけるそれぞれのゲインを設定する出力テーブル（キャリブレーションテーブル）と、前段ＡＧＣアンプ３３および後段ＡＧＣアンプ３６に対応し、基準温度に対する温度毎のゲイン補正値が関連付けられた温度補正テーブルとを記憶部３（図１参照）に格納する。ここで、出力テーブルは、前段ＡＧＣアンプ３３のゲインが、後段ＡＧＣアンプ３６のゲインよりも高くなるように設定する。また、温度補正テーブルは、前段ＡＧＣアンプ３３のゲインが後段ＡＧＣアンプ３６のゲインよりも高くなるように、温度毎のゲイン補正値が関連付けられたものとする。
【００３８】
そして、制御部４（図１参照）により、目標の受信出力OUTおよび現在の温度情報に基づいて、記憶部に記憶されている出力テーブルおよび温度補正テーブルから、対応するＡＧＣ電圧値（ゲイン）およびゲイン補正値を読み出して、前段ＡＧＣアンプ３３および後段ＡＧＣアンプ３６の温度補正後のゲインをそれぞれ算出し、これら算出されたゲインに対応するＡＧＣ電圧VGCTL1およびVGCTL2を、対応するＤＡＣを介して前段ＡＧＣアンプ３３および後段ＡＧＣアンプ３６に印加する。これにより、前段ＡＧＣアンプ３３および後段ＡＧＣアンプ３６のゲインを制御する。
【００３９】
したがって、本実施の形態に係る無線機によれば、受信部３０の全体におけるＮＦの劣化を抑制して、受信部３０のゲインの温度特性を補正することができ、受信信号の品質を向上することができる。
【００４０】
なお、本発明は、上記実施の形態にのみ限定されるものではなく、幾多の変形または変更が可能である。例えば、図７に示した第３実施の形態に係る無線機では、受信部３０をダブルコンバージョン方式としたが、ダイレクトコンバージョン方式の受信部の場合でも、本発明を有効に適用することができる。また、ＡＧＣアンプの数は、２つに限らず、３つ以上が直列に結合されている場合にも、本発明を有効に適用することができる。さらに、本発明は、無線機に限らず、複数のＡＧＣアンプが直列に結合された多段増幅回路に広く適用することが可能である。
【符号の説明】
【００４１】
１  ベースバンド部
２  送信部
３  記憶部
４  制御部
１１  ＩＦミキサ
１２  前段ＡＧＣアンプ
１３  ＩＦアンプ
１４  ＲＦミキサ
１５  後段ＡＧＣアンプ
１６  ＲＦアンプ
２０  送信部
２１  ＲＦミキサ
２２  前段ＡＧＣアンプ
２３  後段ＡＧＣアンプ
２４  ドライバアンプ
２５  パワーアンプ
３０  受信部
３１  低雑音アンプ（ＬＮＡ）
３２  ＲＦミキサ
３３  前段ＡＧＣアンプ
３４  ＩＦアンプ
３５  ＩＦミキサ
３６  後段ＡＧＣアンプ
【図１】
2010278527.tif 000003
【図２】
2010278527.tif 000004
【図３】
2010278527.tif 000005
【図４】
2010278527.tif 000006
【図５】
2010278527.tif 000007
【図６】
2010278527.tif 000008
【図７】
2010278527.tif 000009
【図８】
2010278527.tif 000010
【図９】
2010278527.tif 000011
【図１０】
2010278527.tif 000012
【図１１】
2010278527.tif 000013